(57)【要約】  渡航履歴情報を用いた照合を行う場合において、照合精度を向上することができる管理装置、照合システム、管理方法、照合方法及び記録媒体を提供する。管理装置は、渡航者に関する渡航者情報を取得する渡航者情報取得部と、渡航者に関する渡航者情報及び渡航履歴情報に基づいて、照合に用いられる照合用渡航履歴情報を作成する管理部とを有する。
2019225551.tif 000002
【特許請求の範囲】
【請求項１】
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有する管理装置。
【請求項２】
前記管理部は、前記渡航者に関する前記渡航者情報に基づいて、前記渡航履歴情報から前記渡航者情報に対応する前記照合用渡航履歴情報を抽出する請求項１記載の管理装置。
【請求項３】
前記渡航者情報は、前記渡航者の旅程を示す旅程情報を含み、
特定の条件を満たす前記旅程情報を含む前記渡航者情報を特定する特定部を有し、
前記管理部は、特定された前記渡航者情報に対応する前記渡航履歴情報を前記照合用渡航履歴情報として抽出する請求項１又は２に記載の管理装置。
【請求項４】
前記渡航者情報は、前記渡航者を識別する識別情報と、出発日時に関する情報とを含み、
前記渡航履歴情報は、前記識別情報を含み、
前記管理部は、前記渡航履歴情報から、前記出発日時が所定の期間に含まれる前記渡航者情報に対応する前記渡航履歴情報を前記照合用渡航履歴情報として抽出する請求項１又は２に記載の管理装置。
【請求項５】
前記渡航者情報は、前記渡航者を識別する識別情報と、到着地に関する情報とを含み、
前記渡航履歴情報は、前記識別情報を含み、
前記管理部は、前記渡航履歴情報から、前記到着地が特定の到着地である前記渡航者情報に対応する前記渡航履歴情報を前記照合用渡航履歴情報として抽出する請求項１又は２に記載の管理装置。
【請求項６】
前記渡航履歴情報は、前記渡航者の生体情報を含み、
前記管理部は、前記生体情報の種類に応じて、前記渡航者情報を絞り込む絞り込み度合いを変更する請求項１乃至５のいずれか１項に記載の管理装置。
【請求項７】
前記渡航履歴情報は、前記渡航者の生体情報を含み、
前記管理部は、前記生体情報の種類に応じて、前記所定の期間を決定する請求項４記載の管理装置。
【請求項８】
前記渡航履歴情報は、前記渡航者の生体情報を含み、
前記管理部は、前記生体情報の種類に応じて、前記特定の到着地を決定する請求項５記載の管理装置。
【請求項９】
前記渡航履歴情報は、前記渡航者の生体情報を含み、
前記管理部は、前記生体情報が顔画像である場合、前記生体情報が指紋画像である場合と比較して、前記所定の期間を短く決定する請求項４記載の管理装置。
【請求項１０】
前記渡航履歴情報は、前記渡航者の生体情報を含み、
前記管理部は、前記生体情報が顔画像である場合、前記生体情報が指紋画像である場合と比較して、対象の前記特定の到着地を少なく決定する請求項５記載の管理装置。
【請求項１１】
前記管理部は、所定の時間間隔ごとに前記照合用渡航履歴情報を作成し、所定の時間間隔ごとに前記渡航者情報と対応しない前記渡航履歴情報を削除する請求項１乃至１０のいずれか１項に記載の管理装置。
【請求項１２】
前記管理部は、前記照合用渡航履歴情報を更新する更新間隔を、自動化ゲートで取得される生体情報、時期又は出発地の環境によって設定する請求項１乃至１０のいずれか１項に記載の管理装置。
【請求項１３】
前記渡航履歴情報は、前記渡航者の生体情報を含み、
前記渡航履歴情報に含まれる前記生体情報は、自動化ゲートで取得された生体情報と照合されることを特徴とする請求項１乃至５のいずれか１項に記載の管理装置。
【請求項１４】
管理装置と通信可能な照合装置であって、
前記管理装置は、
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有し、
前記照合装置は、
対象者に関する対象者情報を取得する対象者情報取得部と、
前記対象者情報に含まれる情報と、前記照合用渡航履歴情報に含まれる情報とを照合する照合部とを有する照合装置。
【請求項１５】
管理装置と、前記管理装置と通信可能な照合装置とを含み、
前記管理装置は、
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有し、
前記照合装置は、
対象者に関する対象者情報を取得する対象者情報取得部と、
前記対象者情報に含まれる情報と、前記照合用渡航履歴情報に含まれる情報とを照合する照合部とを有する照合システム。
【請求項１６】
渡航者に関する渡航者情報を取得し、
前記渡航者に関する前記渡航者情報及び渡航履歴情報に基づいて、照合に用いられる照合用渡航履歴情報を作成する管理方法。
【請求項１７】
渡航者に関する渡航者情報を取得し、
前記渡航者に関する前記渡航者情報及び渡航履歴情報に基づいて、照合に用いられる照合用渡航履歴情報を作成し、
対象者に関する対象者情報を取得し、
前記対象者情報に含まれる情報と、前記照合用渡航履歴情報に含まれる情報とを照合する照合方法。
【請求項１８】
コンピュータに、
渡航者に関する渡航者情報を取得し、
前記渡航者に関する前記渡航者情報及び渡航履歴情報に基づいて、照合に用いられる照合用渡航履歴情報を作成する
ことを実行させるプログラムが記録された記録媒体。
【発明の詳細な説明】
【技術分野】
【０００１】
本発明は、管理装置、照合装置、照合システム、管理方法、照合方法及び記録媒体に関する。
【背景技術】
【０００２】
特許文献１には、旅客情報データベース内の第１の生体情報と、生体情報ウォッチリスト内の生体情報との第１の照合を行う個人識別システムが記載されている。特許文献１に記載の個人識別システムは、第１の照合の後、旅客情報データベース内の第１の生体情報と、生体情報取得機能により取得された第２の生体情報との第２の照合を行う。【０００３】
さらに、特許文献１に記載の個人識別システムは、第１の照合の時刻と現在の時刻との違いが予め定めた時間より大きい場合、利用者情報データベース内の第１の生体情報と、第１の照合以降に追加された生体情報ウォッチリスト内の生体情報との第３の照合を行う。一方、予め定めた時間内の場合には、第３の照合を省略する。これにより、生体情報ウォッチリストのチェックに要する時間を短縮する。
【先行技術文献】
【特許文献】
【０００４】
【特許文献１】特開２０１２−０８８９４４号公報
【発明の概要】
【発明が解決しようとする課題】
【０００５】
しかしながら、特許文献１に記載の個人識別システムでは、生体情報ウォッチリスト内の生体情報の更新分との照合を省略しうるにすぎない。このため、特許文献１に記載の個人識別システムでは、生体情報の照合精度を向上することは困難である。【０００６】
本発明の目的は、上述した課題を鑑み、渡航履歴情報を用いた照合を行う場合において、照合精度を向上することができる管理装置、照合装置、照合システム、管理方法、照合方法及び記録媒体を提供することにある。
【課題を解決するための手段】
【０００７】
本発明の一観点によれば、渡航者に関する渡航者情報を取得する渡航者情報取得部と、前記渡航者に関する前記渡航者情報及び渡航履歴情報に基づいて、照合に用いられる照合用渡航履歴情報を作成する管理部とを有する管理装置が提供される。【０００８】
本発明の他の観点によれば、管理装置と通信可能な照合装置であって、前記管理装置は、渡航者に関する渡航者情報を取得する渡航者情報取得部と、前記渡航者に関する前記渡航者情報及び渡航履歴情報に基づいて、照合に用いられる照合用渡航履歴情報を作成する管理部とを有し、前記照合装置は、対象者に関する対象者情報を取得する対象者情報取得部と、前記対象者情報に含まれる情報と、前記照合用渡航履歴情報に含まれる情報とを照合する照合部とを有する照合装置が提供される。【０００９】
本発明のさらに他の観点によれば、管理装置と、前記管理装置と通信可能な照合装置とを含み、前記管理装置は、渡航者に関する渡航者情報を取得する渡航者情報取得部と、前記渡航者に関する前記渡航者情報及び渡航履歴情報に基づいて、照合に用いられる照合用渡航履歴情報を作成する管理部とを有し、前記照合装置は、対象者に関する対象者情報を取得する対象者情報取得部と、前記対象者情報に含まれる情報と、前記照合用渡航履歴情報に含まれる情報とを照合する照合部とを有する照合システムが提供される。【００１０】
本発明のさらに他の観点によれば、渡航者に関する渡航者情報を取得し、前記渡航者に関する前記渡航者情報及び渡航履歴情報に基づいて、照合に用いられる照合用渡航履歴情報を作成する管理方法が提供される。【００１１】
本発明のさらに他の観点によれば、渡航者に関する渡航者情報を取得し、前記渡航者に関する前記渡航者情報及び渡航履歴情報に基づいて、照合に用いられる照合用渡航履歴情報を作成し、対象者に関する対象者情報を取得し、前記対象者情報に含まれる情報と、前記照合用渡航履歴情報に含まれる情報とを照合する照合方法が提供される。【００１２】
本発明のさらに他の観点によれば、コンピュータに、渡航者に関する渡航者情報を取得し、前記渡航者に関する前記渡航者情報及び渡航履歴情報に基づいて、照合に用いられる照合用渡航履歴情報を作成することを実行させるプログラムが記録された記録媒体が提供される。
【発明の効果】
【００１３】
本発明によれば、渡航履歴情報を用いた照合を行う場合において、照合精度を向上することができる。
【図面の簡単な説明】
【００１４】
【図１】図１は、本発明の一実施形態による照合システムの全体構成を示す概略図である。
【図２】図２は、本発明の一実施形態による照合システムにおける管理サーバ、情報サーバ及び自動化ゲートのハードウェア構成の一例を示すブロック図である。
【図３】図３は、本発明の一実施形態による照合システムにおける情報サーバ、管理サーバ及び自動化ゲートの動作を示すシーケンス図である。
【図４】図４は、本発明の一実施形態による情報サーバの渡航者情報データベースの一例を示す概略図である。
【図５】図５は、本発明の一実施形態による管理サーバの渡航履歴情報データベースの一例を示す概略図である。
【図６】図６は、本発明の一実施形態による管理サーバのテンポラリ情報データベースの一例を示す概略図である。
【図７】図７は、本発明の他の実施形態による照合システムの構成を示すブロック図である。
【発明を実施するための形態】
【００１５】
［一実施形態］
本発明の一実施形態による管理装置、照合装置、照合システム、管理方法及び照合方法について図１乃至図６を用いて説明する。
【００１６】
まず、本実施形態による照合システムの構成について図１及び図２を用いて説明する。図１は、本実施形態による照合システムの全体構成を示す概略図である。図２は、本実施形態による照合システムにおける管理サーバ、情報サーバ及び自動化ゲートのハードウェア構成の一例を示すブロック図である。
【００１７】
図１に示すように、本実施形態による照合システム１は、情報サーバ１０と、管理サーバ２０と、会社サーバ３０と、自動化ゲート４０とを含んでいる。本実施形態による照合システム１は、例えば、照合システム１が運用される国の空港で入国審査を受ける渡航者Ｐに対して、入国審査の手続を自動的に行う自動化ゲート４０において渡航者Ｐの生体情報の照合を行うものである。以下では、照合システム１が運用される国を、単に「当該国」と適宜称する。
【００１８】
なお、照合システム１は、当該国の空港のほか、当該国の海港、国境検問所等の出入国審査が行われる施設に設置された自動化ゲート４０において照合を行うものであってもよい。
【００１９】
情報サーバ１０は、例えば、当該国における航空機等の入出港に関連する手続の情報処理システムを管理運用する機関又は事業者の施設内に設置されている。管理サーバ２０は、例えば、当該国の出入国を管理する管理局の施設内に設置されている。自動化ゲート４０は、当該国の空港における入国審査場に設置されている。入国審査場における自動化ゲート４０の設置台数は、特に限定されるものではなく、１台であっても複数台であってもよい。
【００２０】
会社サーバ３０は、外国から当該国に渡航する渡航者Ｐが利用する航空機を運航する航空会社が管理運用するサーバである。なお、会社サーバ３０は、外国から当該国に渡航する渡航者Ｐが利用する航空機以外の船舶等の移動手段を運航する旅客運送業を営む会社が管理運用するサーバであってもよい。
【００２１】
情報サーバ１０、管理サーバ２０、会社サーバ３０及び自動化ゲート４０、ネットワークＮＷ１に接続されている。ネットワークＮＷ１は、ＷＡＮ（Wide Area Network）、ＬＡＮ（Local Area Network）等により構成されている。
【００２２】
情報サーバ１０と管理サーバ２０とは、ネットワークＮＷ１を介して通信可能になっている。情報サーバ１０と会社サーバ３０とは、ネットワークＮＷ１を介して通信可能になっている。管理サーバ２０と自動化ゲート４０とは、ネットワークＮＷ１を介して通信可能になっている。
【００２３】
情報サーバ１０は、外国から当該国に渡航する渡航者Ｐに関する情報である渡航者情報を管理する情報管理装置として機能する。会社サーバ３０は、その航空会社の航空機を利用して当該国に向かう渡航者Ｐの渡航者情報を、ネットワークＮＷ１を介して情報サーバ１０に送信して報告する。例えば、会社サーバ３０は、渡航者Ｐが利用する航空機の出港前の所定の時間前まで又は出港前の所定の時点で、渡航者情報を情報サーバ１０に送信して事前に報告する。また、例えば、会社サーバ３０は、渡航者Ｐがチェックインして渡航情報が確定してから、入国する当該国における入国審査を行う前までの間、より具体的にはチェックインしてから航空機が離陸するまでの間に情報サーバ１０に渡航者情報を送信することができる。また、例えば、会社サーバ３０は、渡航者Ｐがチェックインしてから航空機が到着するまでの間、渡航者Ｐが入国審査場に向かうまでの間に情報サーバ１０に渡航者情報を送信してもよい。情報サーバ１０は、後述するように、各航空会社の会社サーバ３０から送信された渡航者情報を渡航者情報データベース（ＤＢ、Database）１０６ａに登録して管理する。
【００２４】
情報サーバ１０は、図２に示すように、ＣＰＵ（Central Processing Unit）１０２と、ＲＡＭ（Random Access Memory）１０４と、記憶装置１０６と、通信部１０８とを有している。ＣＰＵ１０２、ＲＡＭ１０４、記憶装置１０６及び通信部１０８は、バスライン１１０に接続されている。
【００２５】
ＣＰＵ１０２は、記憶装置１０６に記憶されたプログラムを実行することにより動作し、情報サーバ１０全体の動作を制御する制御部として機能する。また、ＣＰＵ１０２は、記憶装置１０６に記憶されたアプリケーションプログラムを実行して、情報管理装置としての各種処理を実行する。ＲＡＭ１０４は、ＣＰＵ１０２の動作に必要なメモリ領域を提供する。
【００２６】
より具体的には、ＣＰＵ１０２は、管理部として機能し、当該国へ向かう国際線を就航する各航空会社の会社サーバ３０から事前に報告される渡航者情報を記憶装置１０６に記録して管理する。ＣＰＵ１０２は、記憶装置１０６に格納された渡航者情報ＤＢ１０６ａに渡航者情報を登録して管理する。外国においては、観光、商用、帰国、一時帰国等の種々の目的で当該国に向けて出国する。これらのような種々の渡航者Ｐの渡航者情報は、各国の航空会社において、航空機の予約、搭乗手続等の際に取得される。会社サーバ３０は、取得した渡航者情報を上述のようにネットワークＮＷ１を介して情報サーバ１０に送信して事前に報告する。ＣＰＵ１０２は、各国の航空会社の会社サーバ３０から事前に報告される渡航者情報を記憶装置２０６の渡航者情報ＤＢ１０６ａに集約して登録する。
【００２７】
また、ＣＰＵ１０２は、提供部として機能し、ネットワークＮＷ１を介して、渡航者情報を管理サーバ２０に送信して提供する。ＣＰＵ１０２は、渡航者Ｐの当該国への入国前において、定期又は不定期に渡航者情報を管理サーバ２０に事前に提供する。
【００２８】
記憶装置１０６は、不揮発性メモリ、ハードディスクドライブ等の記憶媒体により構成され、記憶部として機能する。記憶装置１０６は、ＣＰＵ１０２により実行されるプログラム、そのプログラムの実行の際にＣＰＵ１０２により参照されるデータ等を記憶する。
【００２９】
また、記憶装置１０６は、渡航者情報ＤＢ１０６ａを格納している。渡航者情報ＤＢ１０６ａには、上記渡航者情報が登録されている。
【００３０】
渡航者情報ＤＢ１０６ａに登録される渡航者情報は、当該国へ向かう渡航者Ｐに関する情報である。渡航者情報は、例えば、渡航者Ｐの旅券情報、旅程情報等を含んでいる。旅券情報は、その渡航者Ｐに対して発行された旅券の旅券番号、旅券発行国、身分情報等を含んでいる。身分情報は、その渡航者Ｐの氏名、国籍、生年月日、性別等を含んでいる。旅程情報は、その渡航者Ｐの旅程を示す情報であり、その渡航者Ｐの出発地、到着地、利用する航空会社、便名、出発日時、到着日時等を含んでいる。航空会社、便名、出発日時、到着日時は、フライト情報を構成する。出発日時は、時刻を含まない出発日であってもよい。到着日時は、時刻を含まない到着日であってもよい。出発地及び到着地は、それぞれ出発する空港及び到着する空港を意味しうる。渡航者情報並びに当該渡航者情報に含まれる旅券情報及び旅程情報は、互いに関連付けられている。
【００３１】
通信部１０８は、ネットワークＮＷ１に接続され、ネットワークＮＷ１を介してデータの送受信を行う。通信部１０８は、ＣＰＵ１０２による制御に従って、管理サーバ２０、会社サーバ３０等との間の通信を行う。
【００３２】
こうして、情報サーバ１０が構成されている。
【００３３】
管理サーバ２０は、当該国の出入国審査業務に要する各種情報を記憶して管理する管理装置として機能する。管理サーバ２０は、図２に示すように、ＣＰＵ２０２と、ＲＡＭ２０４と、記憶装置２０６と、通信部２０８とを有している。ＣＰＵ２０２、ＲＡＭ２０４、記憶装置２０６及び通信部２０８は、バスライン２１０に接続されている。
【００３４】
ＣＰＵ２０２は、記憶装置２０６に記憶されたプログラムを実行することにより動作し、管理サーバ２０全体の動作を制御する制御部として機能する。また、ＣＰＵ２０２は、記憶装置２０６に記憶されたアプリケーションプログラムを実行して、管理装置としての各種処理を実行する。ＲＡＭ２０４は、ＣＰＵ２０２の動作に必要なメモリ領域を提供する。
【００３５】
より具体的には、ＣＰＵ２０２は、管理部として機能し、当該国における渡航者Ｐの出入国に関する渡航履歴情報を記憶装置２０６に記録して管理する。ＣＰＵ２０２は、記憶装置２０６に格納された渡航履歴情報ＤＢ２０６ａに渡航履歴情報を登録して管理する。当該国においては、観光、商用等の種々の目的で諸外国から外国人が入国し、入国した外国人が出国する。また、当該国においては、観光、商用、一時帰国等の種々の目的で自国人や在留外国人が出国し、出国した自国人や在留外国人が入国する。これらのような種々の渡航者Ｐの渡航履歴情報は、例えば、入国審査場における対面の審査ブース、自動化ゲート４０等において取得されて管理サーバ２０に送信される。ＣＰＵ２０２は、送信された渡航履歴情報を記憶装置２０６に記録して管理する。なお、外国人とは、当該国の国籍を有しない者である。
【００３６】
また、ＣＰＵ２０２は、渡航者情報取得部として機能し、ネットワークＮＷ１を介して情報サーバ１０から提供される渡航者情報を取得する。
【００３７】
また、ＣＰＵ２０２は、管理部として機能し、情報サーバ１０から提供されて取得した渡航者情報に基づき、渡航履歴情報ＤＢ２０６ａからテンポラリ情報ＤＢ２０６ｂを作成する。ＣＰＵ２０２は、渡航者情報に基づき、渡航履歴情報ＤＢ２０６ａの渡航履歴情報を絞り込む。これにより、ＣＰＵ２０２は、渡航履歴情報ＤＢ２０６ａの渡航履歴情報と比較して絞り込まれて数の少ない渡航履歴情報が登録されたテンポラリ情報ＤＢ２０６ｂを作成する。テンポラリ情報ＤＢ２０６ｂの作成の詳細については後述する。ＣＰＵ２０２は、作成したテンポラリ情報ＤＢ２０６ｂを記憶装置２０６に格納する。
【００３８】
また、ＣＰＵ２０２は、管理部として機能し、要注意者リスト（watchlist）と信頼者リスト（trustedlist）とを含む人物リストを記憶装置２０６に記録して管理する。ＣＰＵ２０２は、記憶装置２０６に格納された人物リストＤＢ２０６ｃに人物リストを登録して管理する。要注意者リストは、出入国審査に特に留意を要すべき又は出入国を不許可とすべき要注意人物の生体情報を含む人物情報が登録されたリストである。信頼者リストは、入国を許可すべき人物の生体情報を含む人物情報が登録されたリストである。人物リストは、例えば、自動化ゲート４０での照合、審査ブースでの照合に用いられる。なお、人物リストは、必ずしも要注意者リスト及び信頼者リストの両方を含むものである必要はなく、要注意者リスト及び信頼者リストのいずれか一方を含むものであってもよい。
【００３９】
記憶装置２０６は、不揮発性メモリ、ハードディスクドライブ等の記憶媒体により構成され、記憶部として機能する。記憶装置２０６は、ＣＰＵ２０２により実行されるプログラム、そのプログラムの実行の際にＣＰＵ２０２により参照されるデータ等を記憶する。
【００４０】
また、記憶装置２０６は、渡航履歴情報ＤＢ２０６ａと、テンポラリ情報ＤＢ２０６ｂと、人物リストＤＢ２０６ｃとを格納している。渡航履歴情報ＤＢ２０６ａには、上記渡航履歴情報が登録されている。テンポラリ情報ＤＢ２０６ｂには、上記絞り込まれた渡航履歴情報が登録されている。人物リストＤＢ２０６ｃには、上記人物リストが登録されている。
【００４１】
渡航履歴情報ＤＢ２０６ａに登録される渡航履歴情報は、当該国に入国した渡航歴のある渡航者Ｐに関する情報である。渡航履歴情報は、例えば、渡航者Ｐが当該国へ入国する際及び当該国から出国する際に登録される。渡航履歴情報は、例えば、当該国への渡航歴のある渡航者Ｐの旅券情報、生体情報及び履歴情報を含んでいる。旅券情報は、その渡航者Ｐに対して発行された旅券の旅券番号、旅券発行国、身分情報等を含んでいる。身分情報は、その渡航者Ｐの氏名、国籍、生年月日、性別等を含んでいる。生体情報は、その渡航者Ｐの指紋画像、顔画像、虹彩画像、指の静脈画像、掌紋画像、手のひらの静脈画像等である。生体情報は、１つであっても複数であってもよい。また、生体情報は、渡航者Ｐの生体情報が記録されたＩＣ（Integrated Circuit）旅券から取得されたものであってもよいし、審査の際に渡航者Ｐから直接取得したものであってもよい。履歴情報は、その渡航者Ｐの入国地、入国年月日、出国地、出国年月日、航空機便名等を含んでいる。入国地及び出国地は、それぞれ入国した空港及び出国した空港を意味しうる。渡航履歴情報並びに当該渡航履歴情報に含まれる旅券情報、生体情報及び履歴情報は、互いに関連付けられている。
【００４２】
テンポラリ情報ＤＢ２０６ｂに登録される渡航履歴情報は、渡航履歴情報ＤＢ２０６ａに登録された渡航履歴情報のうち、渡航者情報ＤＢ１０６ａのうちの特定の条件を満たす渡航者情報に含まれる渡航者Ｐの個人識別情報に関連付けられた渡航履歴情報である。すなわち、テンポラリ情報ＤＢ２０６ｂに登録される渡航履歴情報は、渡航履歴情報ＤＢ２０６ａに登録された渡航履歴情報のうち、渡航者情報ＤＢ１０６ａのうちの特定の条件を満たす渡航者情報に対応する渡航履歴情報である。特定の条件は、例えば、渡航者情報の出発日時又は出発日が所定の期間に含まれること、渡航者情報の到着日時又は到着日が所定の期間に含まれること、渡航者情報の到着地が特定の到着地、すなわち特定の空港又は特定の空港群であること等である。特定の条件の詳細は後述する。また、渡航者Ｐの個人識別情報は、特に限定されるものではないが、例えば旅券番号である。また、個人識別情報は、例えば、氏名、国籍、生年月日等の身分情報の２以上の組み合わせであってもよい。テンポラリ情報ＤＢ２０６ｂに登録される渡航履歴情報は、自動化ゲート４０における入国審査の際の本人確認のための照合に用いられる照合用渡航履歴情報である。
【００４３】
人物リストＤＢ２０６ｃに登録される人物リストは、要注意者リストと信頼者リストとを含んでいる。要注意者リストは、出入国審査に特に留意を要すべき又は出入国を不許可とすべき要注意人物の人物情報として、生体情報、テキスト情報等が登録されている。また、信頼者リストは、入国を許可すべき人物の人物情報として、生体情報、テキスト情報等が登録されている。要注意者リスト及び信頼者リストの各人物情報に含まれる生体情報は、例えば、当該人物の指紋画像、顔画像、虹彩画像、指の静脈画像、掌紋画像、手のひらの静脈画像等である。
【００４４】
通信部２０８は、ネットワークＮＷ１に接続され、ネットワークＮＷ１を介してデータの送受信を行う。通信部２０８は、ＣＰＵ２０２による制御に従って、情報サーバ１０、自動化ゲート４０等との間の通信を行う。
【００４５】
こうして、管理サーバ２０が構成されている。
【００４６】
自動化ゲート４０は、自動化ゲート４０を利用可能な自動化ゲート４０の対象者である渡航者Ｐの出入国審査の手続を自動的に行う自動手続装置として機能する。自動化ゲート４０は、生体情報の照合を行う照合装置としても機能する。
【００４７】
自動化ゲート４０は、図２に示すように、ＣＰＵ４０２と、ＲＡＭ４０４と、記憶装置４０６と、通信部４０８と、ゲート装置４１０と、旅券読取装置４１２と、生体情報取得装置４１４と、ディスプレイ４１６とを有している。ＣＰＵ４０２、ＲＡＭ４０４、記憶装置４０６、通信部４０８、ゲート装置４１０、旅券読取装置４１２、生体情報取得装置４１４及びディスプレイ４１６は、バスライン４１８に接続されている。
【００４８】
ＣＰＵ４０２は、記憶装置４０６に記憶されたプログラムを実行することにより動作し、自動化ゲート４０全体の動作を制御する制御部として機能する。また、ＣＰＵ４０２は、記憶装置４０６に記憶されたアプリケーションプログラムを実行して、自動手続装置としての各種処理を実行する。ＲＡＭ４０４は、ＣＰＵ４０２の動作に必要なメモリ領域を提供する。
【００４９】
記憶装置４０６は、不揮発性メモリ、ハードディスクドライブ等の記憶媒体により構成され、記憶部として機能する。記憶装置４０６は、ＣＰＵ４０２により実行されるプログラム、そのプログラムの実行の際にＣＰＵ４０２により参照されるデータ等を記憶する。
【００５０】
通信部４０８は、ネットワークＮＷ１に接続され、ネットワークＮＷ１を介してデータの送受信を行う。通信部４０８は、ＣＰＵ４０２による制御に従って、管理サーバ２０等との間の通信を行う。
【００５１】
ゲート装置４１０は、自動化ゲート４０における入国審査を渡航者Ｐが通過した場合に、渡航者Ｐの通行を遮る待機時の閉鎖状態から、渡航者Ｐの通行を許す開放状態に移行する。ゲート装置４１０の方式は、特に限定されるものではなく、例えば、通路の片側又は両側から設けられたフラッパーが開閉するフラッパーゲート、３本バーが回転するターンスタイルゲート等である。
【００５２】
旅券読取装置４１２は、自動化ゲート４０における入国審査において、渡航者Ｐの旅券を読み取って旅券に記録された情報を取得する旅券情報取得部として機能する。旅券読取装置４１２は、自動化ゲート４０において手続を行う対象者である渡航者Ｐに関する情報である対象者情報を取得する対象者情報取得部の１つとして機能する。旅券読取装置４１２は、例えば、ＯＣＲ（Optical Character Reader）装置、非接触ＩＣ（Integrated Circuit）リーダにより構成される。旅券読取装置４１２は、ＯＣＲ装置により旅券券面の旅券番号を読み取る。また、ＩＣ旅券の場合、旅券読取装置４１２は、非接触ＩＣリーダにより、ＩＣ旅券のＩＣチップに記録された旅券番号を読み取る。
【００５３】
また、ＩＣ旅券の場合、そのＩＣチップには、旅券申請時の渡航者Ｐの指紋画像、顔画像、虹彩画像、指の静脈画像、掌紋画像、手のひらの静脈画像等の生体情報が記録されて事前に登録されている。ＩＣチップに事前に登録された生体情報は、１つであっても複数であってもよい。また、複数の生体情報は、いかなる生体情報の組み合わせであってもよい。生体情報がＩＣチップに記録されている場合、旅券読取装置４１２は、ＩＣチップに記録された生体情報をさらに読み取って取得する。旅券読取装置４１２によりＩＣ旅券から取得された生体情報は、生体情報取得装置４１４により取得された同種の生体情報と照合され、渡航者Ｐの本人確認に用いられる。
【００５４】
なお、本実施形態による照合システム１では、旅券読取装置４１２により旅券の読み取りを行うことなく、本人確認のための生体情報の照合を行って入国審査を行うことができる。この場合、自動化ゲート４０は、照合装置として機能し、生体情報取得装置４１４により取得された生体情報と、管理サーバ２０のテンポラリ情報ＤＢ２０６ｂに登録された複数人の渡航履歴情報に含まれる同種の生体情報とを１：Ｎで照合する。これにより、自動化ゲート４０は、渡航者Ｐの本人確認を行う。以下では、このように旅券読取装置４１２により旅券の読み取りを行うことなくテンポラリ情報ＤＢ２０６ｂを利用して本人確認を行う場合について説明する。
【００５５】
生体情報取得装置４１４は、自動化ゲート４０において手続を行う対象者である渡航者Ｐの生体情報を取得する生体情報取得部として機能する。生体情報取得装置４１４は、自動化ゲート４０において手続を行う対象者である渡航者Ｐに関する情報である対象者情報を取得する対象者情報取得部の１つとして機能する。生体情報取得装置４１４は、例えば、渡航者Ｐの指紋画像、顔画像、虹彩画像、指の静脈画像、掌紋画像、手のひらの静脈画像等の生体情報を取得する。生体情報取得装置４１４が取得する生体情報は、１つであっても複数であってもよい。また、複数の生体情報は、いかなる生体情報の組み合わせであってもよい。
【００５６】
自動化ゲート４０において照合を行う生体情報、すなわち、テンポラリ情報ＤＢ２０６ｂの渡航履歴情報に含まれるべき生体情報は、次の条件に基づいて自動的に設定されてもよいし、ユーザである管理者等により手動により適宜変更されて設定されてもよい。例えば、生体情報は、空港に設置されている自動化ゲート４０のスペック、具体的には生体情報取得装置４１４が指紋画像による指紋認証に対応しているか、顔画像による顔認証に対応しているか等によって設定される。また、例えば、生体情報は、複数種類の生体情報に対応可能な場合、お盆、正月を含む年末年始、ゴールデンウィーク等の空港が混雑する時期、空いている時期等、時期によって設定される。具体的には、例えば、生体情報は、混雑する時期には指紋画像に設定され、空いている時期には顔画像に設定される。また、例えば、生体情報は、複数種類の生体情報に対応可能な場合、対象となる出発地の環境、すなわち対象となる空港の環境によって設定される。具体的には、生体情報は、例えば、安全な国や協定を結んでいる国の空港から渡航する渡航者の場合には顔画像に設定され、その他の危険な国の空港から渡航する渡航者の場合には指紋画像に設定される。
【００５７】
ディスプレイ４１６は、例えばタッチパネルディスプレイにより構成される。ディスプレイ４１６は、自動化ゲート４０において手続を行う渡航者Ｐに対して操作案内を表示するとともに、渡航者Ｐからの操作指示の入力を受け付ける表示部及び入力部として機能する。
【００５８】
自動化ゲート４０は、当該国へ入国する渡航者Ｐのうち、特定の渡航者Ｐをその対象者として、その渡航者Ｐの入国審査手続を自動的に行う。入国審査手続に際して、自動化ゲート４０のＣＰＵ４０２は、生体情報を照合する照合部として機能する。
【００５９】
自動化ゲート４０の対象者となる特定の渡航者Ｐは、特に限定されるものではないが、例えば、当該国への入国直近の所定の期間、より具体的には当該国へ入国する日以前の所定の期間における当該国への渡航回数が所定の回数以上の者である。例えば、このような者として、入国する日以前の１年間の当該国への渡航回数が２回以上の者が挙げられる。また、自動化ゲート４０の対象者となる特定の渡航者Ｐは、過去に当該国への渡航履歴があり、かつ、過去に要注意者リストに該当した履歴のない者であってもよい。
【００６０】
例えば、自動化ゲート４０は、当該国への入国前直近の所定の期間における当該国への渡航回数が所定の回数以上の渡航者Ｐの入国審査手続を自動的に行う。この際、照合部として機能するＣＰＵ４０２は、本人確認のため、生体情報取得装置４１４により取得された渡航者Ｐの生体情報と、管理サーバ２０のテンポラリ情報ＤＢ２０６ｂに登録された複数人の渡航履歴情報に含まれる同種の生体情報とを１：Ｎで照合する。
【００６１】
また、照合部として機能するＣＰＵ４０２は、生体情報取得装置４１４により取得された渡航者Ｐの生体情報と、管理サーバ２０の人物リストＤＢ２０６ｃに登録された要注意者リストや信頼者リストに含まれる複数人の同種の生体情報とを１：Ｎで照合することができる。これにより、ＣＰＵ２０２は、渡航者Ｐについて、要注意者リスト照合や信頼者リスト照合を行うことができる。
【００６２】
こうして、自動化ゲート４０が構成されている。
【００６３】
自動化ゲート４０は、その対象者である渡航者Ｐの出入国審査を自動的に行うため、出入国審査場が混雑している場合であっても、円滑、迅速に出入国審査の手続を行うことができる。一般的に、自動化ゲート４０では、旅券読取装置４１２により取得した事前にＩＣ旅券に登録された生体情報と、生体情報取得装置４１４により取得された渡航者Ｐの生体情報を１：１で照合することで本人確認を行う。しかしながら、この場合、渡航者Ｐは、旅券読取装置４１２にＩＣ旅券を読み取らせる必要がるため、スループットが悪くなってしまう。特に、渡航者Ｐは、多くの荷物を抱えている場合が多く、旅券読取装置４１２にＩＣ旅券を読み取らせる際に、多くの荷物を持っている状況ではＩＣ旅券を探すのに時間を要することがある。このため、上記のようにＩＣ旅券の生体情報を用いて１：１の照合を行ったのでは、渡航者Ｐは、スムーズに自動化ゲート４０を利用できないことがあるという問題があった。このため、自動化ゲート４０では、本人確認のため、生体情報取得装置４１４により取得された渡航者Ｐの生体情報と、管理サーバ２０の渡航履歴情報ＤＢ２０６ａに登録された複数人の渡航履歴情報に含まれる生体情報とを１：Ｎで照合することも考えられる。
【００６４】
しかしながら、渡航履歴情報ＤＢ２０６ａの複数人の生体情報を渡航者Ｐの本人確認のための照合に用いたのでは、生体情報取得装置４１４により取得された渡航者Ｐの生体情報と照合すべき照合対象の複数人の生体情報の数が膨大なものとなりうる。このため、生体情報の照合精度が低下するおそれがある。
【００６５】
これに対して、本実施形態による照合システム１は、渡航履歴情報ＤＢ２０６ａの渡航履歴情報を所定の条件で絞り込んでテンポラリ情報ＤＢ２０６ｂを作成する。さらに、照合システム１は、本人確認のため、生体情報取得装置４１４により取得された渡航者Ｐの生体情報と、テンポラリ情報ＤＢ２０６ｂに登録された複数人の渡航履歴情報に含まれる生体情報とを１：Ｎで照合する。
【００６６】
テンポラリ情報ＤＢ２０６ｂの複数人の生体情報は、渡航履歴情報ＤＢ２０６ａの複数人の生体情報と比較して絞り込まれている。このため、本人確認の際に、生体情報取得装置４１４により取得された渡航者Ｐの生体情報と照合すべき照合対象の複数人の生体情報の数を低減することができる。したがって、本実施形態による照合システム１は、渡航者Ｐの本人確認のためにデータベースに登録された生体情報との照合を行う場合において、生体情報の照合精度を向上することができる。また、本人確認のための生体情報の照合に要する時間を短縮することができる。こうして、本実施形態による照合システム１は、渡航履歴情報を用いた照合を行う場合において、照合精度を向上することができる。
【００６７】
すなわち、過去に１回でも複数回でも渡航履歴がある渡航者Ｐである場合、渡航履歴情報ＤＢ２０６ａには、過去に渡航者Ｐから生体情報取得装置４１４が取得した生体情報、又はＩＣ旅券から旅券読取装置４１２が取得した生体情報が記憶されている。しかしながら、このまま自動化ゲート４０における生体情報取得装置４１４が取得した生体情報と、既に登録されている過去の渡航履歴情報ＤＢ２０６ａの生体情報とを１：Ｎで照合すると、低い照合精度となってしまう。これは、Ｎに対応する既に登録されている過去の渡航履歴情報ＤＢ２０６ａの生体情報の数が膨大であるためである。
【００６８】
そこで、本実施形態では、Ｎに対応する既に登録されている過去の渡航履歴情報ＤＢ２０６ａの渡航履歴情報を渡航者Ｐの渡航者情報に基づいて抽出して絞り込み、テンポラリ情報ＤＢ２０６ｂを作成する。そして、本実施形態では、自動化ゲート４０における生体情報取得装置４１４が取得した生体情報と、渡航者情報により絞り込まれた照合用渡航履歴情報が登録されたテンポラリ情報ＤＢ２０６ｂにおける生体情報とを１：Ｎで照合する。これにより、本実施形態では、Ｎの数が渡航者情報に基づいて絞り込まれているため、生体情報の照合精度の低下を抑制することができ、照合時間を短縮することができる。
【００６９】
以下、本実施形態による照合システム１における照合動作についてさらに図３乃至図６を用いて説明する。図３は、本実施形態による照合システムにおける情報サーバ１０、管理サーバ２０及び自動化ゲート４０の動作を示すシーケンス図である。図４は、本実施形態による情報サーバ１０の渡航者情報ＤＢ１０６ａの一例を示す概略図である。図５は、本実施形態による管理サーバ２０の渡航履歴情報ＤＢ２０６ａの一例を示す概略図である。図６は、本実施形態による管理サーバ２０のテンポラリ情報ＤＢ２０６ｂの一例を示す概略図である。なお、図４乃至図６に示す各ＤＢ１０６ａ、２０６ａ、２０６ｃでは、簡単のため、各項目のデータを省略している。本実施形態による照合システム１における照合動作が行われることにより、本実施形態による管理方法及び照合方法が実行される。
【００７０】
図３に示すように、情報サーバ１０のＣＰＵ１０２は、管理サーバ２０に対して、渡航者情報ＤＢ１０６ａに登録されている渡航者情報をネットワークＮＷ１を介して定期又は不定期に送信して事前に提供する（ステップＳ１０２）。
【００７１】
情報サーバ１０には、当該国へ向かう各航空会社の会社サーバ３０から渡航者情報がネットワークＮＷ１を介して送信されて事前に報告されている。情報サーバ１０のＣＰＵ１０２は、事前に報告された渡航者情報を記憶装置２０６の渡航者情報ＤＢ１０６ａに集約して登録する。図４に例示するように、渡航者情報ＤＢ１０６ａには、各航空会社の会社サーバ３０から事前に報告された複数人の渡航者Ｐの渡航者情報Ｃが登録されて管理されている。なお、渡航者情報Ｃのうちの渡航者情報Ｃｓは、以下に述べる特定の条件を満たす渡航者情報Ｃである。ＣＰＵ１０２は、渡航者情報ＤＢ１０６ａの渡航者情報Ｃを管理サーバ２０に事前に提供する。
【００７２】
管理サーバ２０のＣＰＵ２０２は、情報サーバ１０から事前に提供された渡航者情報に基づき、渡航履歴情報ＤＢ２０６ａに登録されている渡航履歴情報を絞り込む。すなわち、ＣＰＵ２０２は、特定部として機能し、特定の条件を満たす旅程情報を含む渡航者情報を特定する。次いで、ＣＰＵ２０２は、抽出部として機能し、特定された渡航者情報に対応する渡航履歴情報を、照合用渡航履歴情報として抽出して渡航履歴情報を絞り込む。これにより、ＣＰＵ２０２は、テンポラリ情報ＤＢ２０６ｂを作成する（ステップＳ１０４）。テンポラリ情報ＤＢ２０６ｂには、渡航履歴情報ＤＢ２０６ａの渡航履歴情報と比較して絞り込まれて数の少ない渡航履歴情報が登録されている。ＣＰＵ２０２は、例えば、以下のようにして特定の条件を満たす旅程情報を含む渡航者情報に基づき、渡航履歴情報ＤＢ２０６ａの渡航履歴情報を絞り込んでテンポラリ情報ＤＢ２０６ｂを作成することができる。
【００７３】
例えば、まず、ＣＰＵ２０２は、情報サーバ１０から事前に提供された渡航者情報のうち、特定の条件を満たす特定の渡航者情報、具体的には自動化ゲート４０で本人確認のための照合を行う所定の期間に到着日時が含まれる特定の渡航者情報を抽出する。到着日時は、到着日であってもよい。所定の期間は、例えば、日単位であってもよいし、時間単位であってもよい。図４に示すように、ＣＰＵ２０２は、事前に提供された渡航者情報ＤＢ１０６ａの渡航者情報Ｃのうち、特定の条件を満たす渡航者情報Ｃｓを抽出する。また、ＣＰＵ２０２は、到着日時又は到着日を基準に特定の渡航者情報を抽出することに代えて、出発日時又は出発日を基準に特定の渡航者情報を抽出してもよい。
【００７４】
例えば、本人確認のための生体情報の照合を行う到着日を４月１０日とする。この場合、特定の条件として、出発地から比較的に遠い空港の場合、出発日が同日を含む４月９日〜１０日の渡航者情報を抽出することができる。一方、出発地から比較的に近い空港の場合は、出発日が同日の４月１０日の渡航者情報を抽出することができる。このように、時差を考慮して空港ごとに特定の条件における到着日が含まれる所定の期間を設定することができる。空港ごとに変更せずに、特定の条件における到着日が含まれる所定の期間を一律に設定することもできる。
【００７５】
また、本人確認のための照合を行う生体情報の種類に応じて、特定の条件を変更することができる。例えば、照合を行う生体情報が指紋画像の場合は、照合精度が高いため、特定の条件における到着日が含まれる所定の期間を１週間とし、到着日が４月１０日の場合、出発日が同日を含む４月３日〜１０日の渡航者情報を抽出することができる。一方、照合を行う生体情報が顔画像の場合は、照合精度が低いため、特定の条件における到着日が含まれる所定の期間を２日間とし、到着日が４月１０日の場合、出発日が同日を含む４月９日〜１０日の渡航者情報を抽出することができる。
【００７６】
また、本人確認のための生体情報の照合精度をさらに高める手段として、到着日の時間ごとにテンポラリ情報ＤＢ２０６ｂを作成することができる。例えば、特定の条件における到着日が含まれる所定の期間を６時間とし、到着日時が４月１０日１２時００分〜同日１８時００分の場合、空港ごとの出発地からの飛行時間に基づいて抽出する渡航者情報を決定することができる。具体的には、出発地からの飛行時間が２４時間の比較的に遠い空港の場合は、出発日時が４月９日１２時００分〜同日１８時００分の渡航者情報を抽出することができる。一方、出発地からの飛行時間が１２時間の比較的に近い空港の場合は、４月１０日０時００分〜同日６時００分の渡航者情報を抽出することができる。このように、所定期間の長さと、到着する空港までの空港ごとの飛行時間とに基づいて、特定の条件を満たす渡航者情報Ｃｓを決定することができる。
【００７７】
続いて、ＣＰＵ２０２は、抽出した特定の渡航者情報に含まれる渡航者Ｐの個人識別情報と関連付けられた特定の渡航履歴情報を、渡航履歴情報ＤＢ２０６ａの渡航履歴情報から抽出する。すなわち、ＣＰＵ２０２は、抽出した特定の渡航者情報に対応する特定の渡航履歴情報を、渡航履歴情報ＤＢ２０６ａの渡航履歴情報から抽出する。図５に例示するように、渡航履歴情報ＤＢ２０６ａには、過去に入出国した複数人の渡航者Ｐの渡航履歴情報Ｈが登録されて管理されている。図５に示すように、ＣＰＵ２０２は、渡航履歴情報ＤＢ２０６ａの渡航履歴情報Ｈのうち、特定の渡航者情報Ｃｓに含まれる渡航者Ｐの個人識別情報と関連付けられた特定の渡航履歴情報Ｈｓを抽出する。
【００７８】
続いて、ＣＰＵ２０２は、抽出した特定の渡航履歴情報をデータベースに登録してテンポラリ情報ＤＢ２０６ｂを作成する。図６に例示するように、テンポラリ情報ＤＢ２０６ｂには、抽出された特定の渡航履歴情報Ｈｓが照合用渡航履歴情報として登録される。
【００７９】
また、ＣＰＵ２０２は、特定の渡航者情報が満たすべき特定の条件として、上記条件に代えて又は上記条件とともに、以下の条件のように他の特定の条件を用いることができる。
【００８０】
例えば、まず、ＣＰＵ２０２は、情報サーバ１０から事前に提供された渡航者情報のうち、特定の条件を満たす特定の渡航者情報、具体的には自動化ゲート４０で本人確認のための照合を行う特定の到着地が含まれる特定の渡航者情報を抽出する。特定の到着地は、特定の空港であってもよいし、特定の空港群であってもよい。特定の到着地については、出発する国における空港と到着する国における空港との２国間の協定、安全面等から決定することもできる。
【００８１】
続いて、上記の場合と同様に、ＣＰＵ２０２は、抽出した特定の渡航者情報に含まれる渡航者Ｐの個人識別情報と関連付けられた特定の渡航履歴情報を、渡航履歴情報ＤＢ２０６ａの渡航履歴情報から抽出する。続いて、ＣＰＵ２０２は、抽出した特定の渡航履歴情報をデータベースに登録してテンポラリ情報ＤＢ２０６ｂを作成する。
【００８２】
なお、ＣＰＵ２０２は、上記のほか、種々の特定の条件を満たす旅程情報を含む渡航者情報を特定し、特定された渡航者情報に対応する渡航履歴情報を照合用渡航履歴情報として抽出して、テンポラリ情報ＤＢ２０６ｂを作成することができる。
【００８３】
こうして、管理サーバ２０のＣＰＵ２０２は、渡航履歴情報ＤＢ２０６ａの渡航履歴情報を絞り込んでテンポラリ情報ＤＢ２０６ｂを作成する。なお、ＣＰＵ２０２は、テンポラリ情報ＤＢ２０６ｂを随時更新する。例えば、ＣＰＵ２０２は、分、時間、日にち等、所定の更新間隔が経過するとともにテンポラリ情報ＤＢ２０６ｂも更新する。テンポラリ情報ＤＢ２０６ｂの更新において、ＣＰＵ２０２は、上記所定の期間に含まれない渡航者情報に対応する渡航者履歴情報をテンポラリ情報ＤＢ２０６ｂから削除する。また、テンポラリ情報ＤＢ２０６ｂの更新において、ＣＰＵ２０２は、新たに上記所定の期間に含まれる渡航者情報に対応する渡航者履歴情報をテンポラリ情報ＤＢ２０６ｂに追加する。すなわち、ＣＰＵ２０２は、所定の時間間隔ごとに照合用渡航履歴情報を作成し、所定の時間間隔ごとに、特定の条件を満たす特定の渡航者情報と対応しない渡航履歴情報をテンポラリ情報ＤＢ２０６ｂから削除する。
【００８４】
管理サーバ２０のＣＰＵ２０２がテンポラリ情報ＤＢ２０６ｂを更新する更新間隔は、次の条件に基づいてＣＰＵ２０２により自動的に設定されてもよいし、ユーザである管理者等により手動により適宜変更されて設定されてもよい。
【００８５】
例えば、ＣＰＵ２０２は、空港に設置されている自動化ゲート４０のスペックによって更新間隔を決定して設定することができる。具体的には、ＣＰＵ２０２は、生体情報取得装置４１４が虹彩画像による虹彩認証、指紋画像による指紋認証、顔画像による顔認証等のいずれに対応しているか等によって更新間隔を決定して設定することができる。より具体的には、虹彩認証、指紋認証及び顔認証の３つの認証の場合、ＣＰＵ２０２は、虹彩認証の場合の更新間隔を最も長く設定し、指紋認証の場合の更新間隔を２番目に長く設定し、顔認証の場合の更新間隔を最も短く設定することができる。
【００８６】
また、例えば、ＣＰＵ２０２は、お盆、正月を含む年末年始、ゴールデンウィーク等の空港が混雑する時期、空いている時期等、時期によって更新間隔を決定して設定することができる。具体的には、ＣＰＵ２０２は、空港が混雑する時期は更新間隔をより短く設定し、空港が空いている時期は更新間隔をより長く設定することができる。
【００８７】
また、ＣＰＵ２０２は、対象となる出発地の環境、すなわち対象となる空港の環境によって更新間隔を決定して設定することができる。具体的には、ＣＰＵ２０２は、安全な国や協定を結んでいる国の空港から渡航する場合は更新間隔をより長く設定し、その他の危険な国の空港から渡航する場合は更新間隔をより短く設定することができる。
【００８８】
このように、ＣＰＵ２０２は、テンポラリ情報ＤＢ２０６ｂの更新間隔、すなわち照合用渡航履歴情報を更新する更新間隔を状況によって決定して設定することができる。ＣＰＵ２０２は、自動化ゲート４０で取得される渡航者Ｐの生体情報、すなわち照合用渡航履歴情報に含まれる渡航者Ｐの生体情報の種類によって決定して設定することができる。また、ＣＰＵ２０２は、照合用渡航履歴情報を更新する更新間隔を、時期、渡航者の出発地の環境等によって決定して設定することもできる。なお、管理者も、これらの基準に従って同様に更新間隔を決定して手動で設定することができる。
【００８９】
なお、自動化ゲート４０において本人確認のための生体情報の照合は、照合を行う生体情報の種類によって照合精度が異なりうる。このため、管理サーバ２０のＣＰＵ２０２は、照合を行う生体情報の種類に応じて、渡航履歴情報ＤＢ２０６ａの渡航履歴情報を絞り込む絞り込み度合いを変更することができる。すなわち、ＣＰＵ２０２は、生体情報の種類に応じて、特定の条件における出発日時又は到着日時が含まれる所定の期間、特定の条件における特定の到着地を決定することができる。これにより、照合を行う生体情報の種類に応じた照合精度の向上を実現することができる。
【００９０】
例えば、指紋画像の照合は、顔画像の照合と比較して照合精度が高い。したがって、本人確認のために指紋画像の照合を行う場合は、顔画像の照合を行う場合と比較して、渡航履歴情報ＤＢ２０６ａの渡航履歴情報を絞り込む絞り込み度合いを小さくすることができる。すなわち、指紋画像の照合を行う場合のテンポラリ情報ＤＢ２０６ｂの渡航履歴情報の数は、顔画像の照合を行う場合のテンポラリ情報ＤＢ２０６ｂの渡航履歴情報の数よりも多くすることができる。
【００９１】
絞り込み度合いの程度は、本人確認のための照合に用いる生体情報の照合精度の順に応じて、例えば、虹彩画像、指紋画像、及び顔画像の順に大きくすることができる。すなわち、虹彩画像、指紋画像、及び顔画像の順に、テンポラリ情報ＤＢ２０６ｂの渡航履歴情報の数を少なくすることができる。
【００９２】
具体的には、例えば、指紋画像の照合を行う場合、２４時間以上の日単位の所定の期間に到着日時又は到着日が含まれる渡航者情報に含まれる渡航者Ｐの個人識別情報に関連付けられた渡航履歴情報を抽出して、テンポラリ情報ＤＢ２０６ｂを作成することができる。
【００９３】
一方、例えば、顔画像の照合を行う場合、２４時間未満の時間単位の所定の期間に到着日時又は到着日が含まれる渡航者情報に含まれる渡航者Ｐの個人識別情報に関連付けられた渡航履歴情報を抽出して、テンポラリ情報ＤＢ２０６ｂを作成することができる。このように、顔画像の照合を行う場合は、所定の期間を、指紋画像の照合を行う場合よりも短期間に決定して設定することができる。これにより、テンポラリ情報ＤＢ２０６ｂの渡航履歴情報を少なくすることができ、照合精度が比較的に低い顔画像の場合であっても、本人確認のための生体情報の照合精度を向上することができる。
【００９４】
また、例えば、顔画像の照合を行う場合、特定の一の空港が到着地として含まれる渡航者情報に含まれる渡航者Ｐの個人識別情報に関連付けられた渡航履歴情報を抽出して、テンポラリ情報ＤＢ２０６ｂを作成することができる。すなわち、指紋画像の照合を行う場合、対象となる空港は複数の空港を含む特定の空港群であるが、顔画像の照合を行う場合、照合精度が指紋画像の照合より低いため、対象となる空港は特定の一の空港が到着地とされる。そして、その特定の一の空港が到着地として含まれる渡航者情報に含まれる渡航者Ｐの個人識別情報に関連付けられた渡航履歴情報を抽出する。このように、顔画像の照合を行う場合は、特定の到着地の数を、指紋画像の照合を行う場合よりも少なく決定して設定することができる。これによっても、テンポラリ情報ＤＢ２０６ｂの渡航履歴情報を少なくすることができ、照合精度が比較的に低い顔画像の場合であっても、本人確認のための生体情報の照合精度を向上することができる。
【００９５】
自動化ゲート４０では、上述のように渡航履歴情報を絞り込んだ特定の条件に用いた所定の期間又は空港において、渡航者Ｐの入国審査を自動的に行う。なお、本実施形態では、自動化ゲート４０の旅券読取装置４１２に渡航者Ｐの旅券を読み取らせる必要はない。さらには、生体情報取得装置４１４により取得する生体情報が渡航者Ｐの顔画像である場合には、自動化ゲート４０で渡航者Ｐが立ち止まる必要のないウォークスルーでの入国審査を行うことができる。
【００９６】
まず、入国審査において、自動化ゲート４０のＣＰＵ４０２は、生体情報取得装置４１４により、渡航者Ｐの生体情報として、渡航者Ｐの指紋画像、顔画像、虹彩画像等を取得する（ステップＳ１０６）。ＣＰＵ４０２は、例えば、指紋画像及び顔画像の少なくとも一方を取得することもできるし、他の生体情報を含む複数の生体情報のいずれか１つ又は組み合わせを取得することもできる。
【００９７】
次いで、ＣＰＵ４０２は、本人確認のため、生体情報取得装置４１４により取得された渡航者Ｐの生体情報と、管理サーバ２０のテンポラリ情報ＤＢ２０６ｂに登録された複数人の渡航履歴情報に含まれる同種の生体情報とを１：Ｎで照合する。これにより、ＣＰＵ４０２は、渡航者Ｐの本人確認のための照合を行う（ステップＳ１０８）。
【００９８】
照合の結果、ＣＰＵ４０２は、テンポラリ情報ＤＢ２０６ｂの複数人の渡航履歴情報に含まれる生体情報のうち、生体情報取得装置４１４により取得された渡航者Ｐの生体情報と一致する生体情報が発見された場合に、本人確認に成功したと判定する。
【００９９】
テンポラリ情報ＤＢ２０６ｂには、渡航履歴情報ＤＢ２０６ａの渡航履歴情報と比較して絞り込まれて数の少ない渡航履歴情報が登録されている。したがって、生体情報取得装置４１４により取得された生体情報と照合する照合対象として、テンポラリ情報ＤＢ２０６ｂの渡航履歴情報に含まれる生体情報を用いることにより、生体情報の照合精度を向上することができる。また、本人確認のための照合に要する時間を短縮することができる。
【０１００】
次いで、ＣＰＵ４０２は、生体情報取得装置４１４により取得された渡航者Ｐの生体情報と、管理サーバ２０の人物リストＤＢ２０６ｃに登録された要注意者リストや信頼者リストに含まれる複数人の同種の生体情報とを１：Ｎで照合する（ステップＳ１１０）。これにより、ＣＰＵ４０２は、渡航者Ｐについて、要注意者リスト照合や信頼者リスト照合を行う。なお、要注意者リスト照合や信頼者リスト照合は、対象者となる人物が限られており、照合すべき人数が少なく、本人確認のための照合より照合速度が速いため、スループットに影響することはない。
【０１０１】
こうして、自動化ゲート４０において、本人確認のための照合、要注意者リスト照合、信頼者リスト照合等を含む入国審査が渡航者Ｐについて行われる。入国審査を渡航者Ｐが通過すると、自動化ゲート４０のＣＰＵ４０２は、ゲート装置４１０を、渡航者Ｐの通行を遮る待機時の閉鎖状態から、渡航者Ｐの通行を許す開放状態に移行させる（ステップＳ１１２）。
【０１０２】
このように、本実施形態では、渡航履歴情報ＤＢ２０６ａの複数人の生体情報を絞り込んで作成したテンポラリ情報ＤＢ２０６ｂの生体情報を用いて渡航者Ｐの本人確認のための生体情報の照合を行う。したがって、本実施形態によれば、渡航者Ｐの本人確認のためにデータベースに登録された生体情報との照合を行う場合において、生体情報の照合精度を向上することができる。こうして、本実施形態によれば、渡航履歴情報を用いた照合を行う場合において、照合精度を向上することができる。
【０１０３】
［他の実施形態］
上記実施形態において説明した照合システムは、さらに他の実施形態によれば、図７に示すように構成することもできる。図７は、他の実施形態による照合システムの構成を示すブロック図である。
【０１０４】
図７に示すように、他の実施形態による照合システム１０００は、管理装置１１００と、管理装置１１００と通信可能な照合装置１２００とを含む。
【０１０５】
管理装置１１００は、渡航者に関する渡航者情報を取得する渡航者情報取得部１１０２と、渡航者に関する渡航者情報及び渡航履歴情報に基づいて、照合に用いられる照合用渡航履歴情報を作成する管理部１１０４とを有する。
【０１０６】
照合装置１２００は、対象者に関する対象者情報を取得する対象者情報取得部１２０２と、対象者情報に含まれる情報と、照合用渡航履歴情報に含まれる情報とを照合する照合部１２０４とを有する。
【０１０７】
他の実施形態によれば、渡航者に関する渡航者情報及び渡航履歴情報に基づいて、照合に用いられる照合用渡航履歴情報を作成する。したがって、他の実施形態によれば、データベースに登録された生体情報との照合を行う場合において、生体情報の照合精度を向上することができる。
【０１０８】
［変形実施形態］
本発明は、上記実施形態に限らず、種々の変形が可能である。
【０１０９】
例えば、上記実施形態では、情報サーバ１０と、管理サーバ２０とが別個のサーバである場合を例に説明したが、これに限定されるものではない。単一のサーバを、情報サーバ１０及び管理サーバ２０として機能するように構成することもできる。
【０１１０】
また、上記実施形態では、テンポラリ情報ＤＢ２０６ｂの渡航履歴情報に含まれる生体情報を、自動化ゲート４０での照合に用いる場合を例に説明したが、これに限定されるものではない。例えば、テンポラリ情報ＤＢ２０６ｂの渡航履歴情報に含まれる生体情報は、審査官による対面の審査が行われる審査ブースにおける本人確認のための生体情報の照合に用いることもできる。この場合、例えば、対面の審査ブースに設置された情報端末が本人確認のための生体情報の照合を行う。すなわち、対面の審査ブースの情報端末は、自動化ゲート４０と同様、対面の審査ブースに設置された生体情報取得装置により取得された渡航者Ｐの生体情報と、テンポラリ情報ＤＢ２０６ｂの渡航履歴情報に含まれる生体情報とを照合する。
【０１１１】
また、上記実施形態では、入国審査が行われる審査場において自動化ゲート４０により生体情報の照合を行う場合を例に説明したが、これに限定されるものではない。本発明による照合システムは、生体情報を取得して利用するあらゆる場合に適用することができる。本発明による照合システムは、例えば、施設、会場等の出入場口において出入場の許否を自動的に審査する自動化ゲートにより生体情報の照合を行う場合に広く適用することができる。
【０１１２】
また、上記の各実施形態の機能を実現するように該実施形態の構成を動作させるプログラムを記録媒体に記録させ、該記録媒体に記録されたプログラムをコードとして読み出し、コンピュータにおいて実行する処理方法も各実施形態の範疇に含まれる。すなわち、コンピュータ読取可能な記録媒体も各実施形態の範囲に含まれる。また、上述のコンピュータプログラムが記録された記録媒体はもちろん、そのコンピュータプログラム自体も各実施形態に含まれる。
【０１１３】
該記録媒体としては、例えばフロッピー（登録商標）ディスク、ハードディスク、光ディスク、光磁気ディスク、ＣＤ−ＲＯＭ（Compact Disc-Read Only Memory）、磁気テープ、不揮発性メモリカード、ＲＯＭを用いることができる。また、該記録媒体に記録されたプログラム単体で処理を実行しているものに限らず、他のソフトウェア、拡張ボードの機能と共同して、ＯＳ（Operating System）上で動作して処理を実行するものも各実施形態の範疇に含まれる。
【０１１４】
上記の実施形態の一部又は全部は、以下の付記のようにも記載されうるが、以下には限られない。
【０１１５】
（付記１）
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有する管理装置。
【０１１６】
（付記２）
前記管理部は、前記渡航者に関する前記渡航者情報に基づいて、前記渡航履歴情報から前記渡航者情報に対応する前記照合用渡航履歴情報を抽出する付記１記載の管理装置。
【０１１７】
（付記３）
前記渡航者情報は、前記渡航者の旅程を示す旅程情報を含み、
特定の条件を満たす前記旅程情報を含む前記渡航者情報を特定する特定部を有し、
前記管理部は、特定された前記渡航者情報に対応する前記渡航履歴情報を前記照合用渡航履歴情報として抽出する付記１又は２に記載の管理装置。
【０１１８】
（付記４）
前記渡航者情報は、前記渡航者を識別する識別情報と、出発日時に関する情報とを含み、
前記渡航履歴情報は、前記識別情報を含み、
前記管理部は、前記渡航履歴情報から、前記出発日時が所定の期間に含まれる前記渡航者情報に対応する前記渡航履歴情報を前記照合用渡航履歴情報として抽出する付記１又は２に記載の管理装置。
【０１１９】
（付記５）
前記渡航者情報は、前記渡航者を識別する識別情報と、到着地に関する情報とを含み、
前記渡航履歴情報は、前記識別情報を含み、
前記管理部は、前記渡航履歴情報から、前記到着地が特定の到着地である前記渡航者情報に対応する前記渡航履歴情報を前記照合用渡航履歴情報として抽出する付記１又は２に記載の管理装置。
【０１２０】
（付記６）
前記渡航履歴情報は、前記渡航者の生体情報を含み、
前記管理部は、前記生体情報の種類に応じて、前記渡航者情報を絞り込む絞り込み度合いを変更する付記１乃至５のいずれかに記載の管理装置。
【０１２１】
（付記７）
前記渡航履歴情報は、前記渡航者の生体情報を含み、
前記管理部は、前記生体情報の種類に応じて、前記所定の期間を決定する付記４記載の管理装置。
【０１２２】
（付記８）
前記渡航履歴情報は、前記渡航者の生体情報を含み、
前記管理部は、前記生体情報の種類に応じて、前記特定の到着地を決定する付記５記載の管理装置。
【０１２３】
（付記９）
前記渡航履歴情報は、前記渡航者の生体情報を含み、
前記管理部は、前記生体情報が顔画像である場合、前記生体情報が指紋画像である場合と比較して、前記所定の期間を短く決定する付記４記載の管理装置。
【０１２４】
（付記１０）
前記渡航履歴情報は、前記渡航者の生体情報を含み、
前記管理部は、前記生体情報が顔画像である場合、前記生体情報が指紋画像である場合と比較して、対象の前記特定の到着地を少なく決定する付記５記載の管理装置。
【０１２５】
（付記１１）
前記管理部は、所定の時間間隔ごとに前記照合用渡航履歴情報を作成し、所定の時間間隔ごとに前記渡航者情報と対応しない前記渡航履歴情報を削除する付記１乃至１０のいずれかに記載の管理装置。
【０１２６】
（付記１２）
前記管理部は、前記照合用渡航履歴情報を更新する更新間隔を、自動化ゲートで取得される生体情報、時期又は出発地の環境によって設定する付記１乃至１０のいずれかに記載の管理装置。
【０１２７】
（付記１３）
前記渡航履歴情報は、前記渡航者の生体情報を含み、
前記渡航履歴情報に含まれる前記生体情報は、自動化ゲートで取得された生体情報と照合されることを特徴とする付記１乃至５のいずれかに記載の管理装置。
【０１２８】
（付記１４）
管理装置と通信可能な照合装置であって、
前記管理装置は、
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有し、
前記照合装置は、
対象者に関する対象者情報を取得する対象者情報取得部と、
前記対象者情報に含まれる情報と、前記照合用渡航履歴情報に含まれる情報とを照合する照合部とを有する照合装置。
【０１２９】
（付記１５）
管理装置と、前記管理装置と通信可能な照合装置とを含み、
前記管理装置は、
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有し、
前記照合装置は、
対象者に関する対象者情報を取得する対象者情報取得部と、
前記対象者情報に含まれる情報と、前記照合用渡航履歴情報に含まれる情報とを照合する照合部とを有する照合システム。
【０１３０】
（付記１６）
渡航者に関する渡航者情報を取得し、
前記渡航者に関する前記渡航者情報及び渡航履歴情報に基づいて、照合に用いられる照合用渡航履歴情報を作成する管理方法。
【０１３１】
（付記１７）
渡航者に関する渡航者情報を取得し、
前記渡航者に関する前記渡航者情報及び渡航履歴情報に基づいて、照合に用いられる照合用渡航履歴情報を作成し、
対象者に関する対象者情報を取得し、
前記対象者情報に含まれる情報と、前記照合用渡航履歴情報に含まれる情報とを照合する照合方法。
【０１３２】
（付記１８）
コンピュータに、
渡航者に関する渡航者情報を取得し、
前記渡航者に関する前記渡航者情報及び渡航履歴情報に基づいて、照合に用いられる照合用渡航履歴情報を作成する
ことを実行させるプログラムが記録された記録媒体。
【０１３３】
以上、実施形態を参照して本発明を説明したが、本発明は上記実施形態に限定されるものではない。本発明の構成や詳細には、本発明のスコープ内で当業者が理解し得る様々な変更をすることができる。
【０１３４】
この出願は、２０１８年５月２４日に出願された日本出願特願２０１８−０９９６１７を基礎とする優先権を主張し、その開示の全てをここに取り込む。
【符号の説明】
【０１３５】
１…照合システム
１０…情報サーバ
２０…管理サーバ
３０…会社サーバ
４０…自動化ゲート
ＮＷ１…ネットワーク
【図１】
2019225551.tif 000003
【図２】
2019225551.tif 000004
【図３】
2019225551.tif 000005
【図４】
2019225551.tif 000006
【図５】
2019225551.tif 000007
【図６】
2019225551.tif 000008
【図７】
2019225551.tif 000009
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有する管理装置。
【請求項２】
前記管理部は、前記渡航者に関する前記渡航者情報に基づいて、前記渡航履歴情報から前記渡航者情報に対応する前記照合用渡航履歴情報を抽出する請求項１記載の管理装置。
【請求項３】
前記渡航者情報は、前記渡航者の旅程を示す旅程情報を含み、
特定の条件を満たす前記旅程情報を含む前記渡航者情報を特定する特定部を有し、
前記管理部は、特定された前記渡航者情報に対応する前記渡航履歴情報を前記照合用渡航履歴情報として抽出する請求項１又は２に記載の管理装置。
【請求項４】
前記渡航者情報は、前記渡航者を識別する識別情報と、出発日時に関する情報とを含み、
前記渡航履歴情報は、前記識別情報を含み、
前記管理部は、前記渡航履歴情報から、前記出発日時が所定の期間に含まれる前記渡航者情報に対応する前記渡航履歴情報を前記照合用渡航履歴情報として抽出する請求項１又は２に記載の管理装置。
【請求項５】
前記渡航者情報は、前記渡航者を識別する識別情報と、到着地に関する情報とを含み、
前記渡航履歴情報は、前記識別情報を含み、
前記管理部は、前記渡航履歴情報から、前記到着地が特定の到着地である前記渡航者情報に対応する前記渡航履歴情報を前記照合用渡航履歴情報として抽出する請求項１又は２に記載の管理装置。
【請求項６】
前記渡航履歴情報は、前記渡航者の生体情報を含み、
前記管理部は、前記生体情報の種類に応じて、前記渡航者情報を絞り込む絞り込み度合いを変更する請求項１乃至５のいずれか１項に記載の管理装置。
【請求項７】
前記渡航履歴情報は、前記渡航者の生体情報を含み、
前記管理部は、前記生体情報の種類に応じて、前記所定の期間を決定する請求項４記載の管理装置。
【請求項８】
前記渡航履歴情報は、前記渡航者の生体情報を含み、
前記管理部は、前記生体情報の種類に応じて、前記特定の到着地を決定する請求項５記載の管理装置。
【請求項９】
前記渡航履歴情報は、前記渡航者の生体情報を含み、
前記管理部は、前記生体情報が顔画像である場合、前記生体情報が指紋画像である場合と比較して、前記所定の期間を短く決定する請求項４記載の管理装置。
【請求項１０】
前記渡航履歴情報は、前記渡航者の生体情報を含み、
前記管理部は、前記生体情報が顔画像である場合、前記生体情報が指紋画像である場合と比較して、対象の前記特定の到着地を少なく決定する請求項５記載の管理装置。
【請求項１１】
前記管理部は、所定の時間間隔ごとに前記照合用渡航履歴情報を作成し、所定の時間間隔ごとに前記渡航者情報と対応しない前記渡航履歴情報を削除する請求項１乃至１０のいずれか１項に記載の管理装置。
【請求項１２】
前記管理部は、前記照合用渡航履歴情報を更新する更新間隔を、自動化ゲートで取得される生体情報、時期又は出発地の環境によって設定する請求項１乃至１０のいずれか１項に記載の管理装置。
【請求項１３】
前記渡航履歴情報は、前記渡航者の生体情報を含み、
前記渡航履歴情報に含まれる前記生体情報は、自動化ゲートで取得された生体情報と照合されることを特徴とする請求項１乃至５のいずれか１項に記載の管理装置。
【請求項１４】
管理装置と通信可能な照合装置であって、
前記管理装置は、
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有し、
前記照合装置は、
対象者に関する対象者情報を取得する対象者情報取得部と、
前記対象者情報に含まれる情報と、前記照合用渡航履歴情報に含まれる情報とを照合する照合部とを有する照合装置。
【請求項１５】
管理装置と、前記管理装置と通信可能な照合装置とを含み、
前記管理装置は、
渡航者に関する渡航者情報を取得する渡航者情報取得部と、
前記渡航者に関する前記渡航者情報及び渡航履歴情報に基づいて、照合に用いられる照合用渡航履歴情報を作成する管理部とを有し、
前記照合装置は、
対象者に関する対象者情報を取得する対象者情報取得部と、
前記対象者情報に含まれる情報と、前記照合用渡航履歴情報に含まれる情報とを照合する照合部とを有する照合システム。
【請求項１６】
渡航者に関する渡航者情報を取得し、
前記渡航者に関する前記渡航者情報及び渡航履歴情報に基づいて、照合に用いられる照合用渡航履歴情報を作成する管理方法。
【請求項１７】
渡航者に関する渡航者情報を取得し、
前記渡航者に関する前記渡航者情報及び渡航履歴情報に基づいて、照合に用いられる照合用渡航履歴情報を作成し、
対象者に関する対象者情報を取得し、
前記対象者情報に含まれる情報と、前記照合用渡航履歴情報に含まれる情報とを照合する照合方法。
【請求項１８】
コンピュータに、
渡航者に関する渡航者情報を取得し、
前記渡航者に関する前記渡航者情報及び渡航履歴情報に基づいて、照合に用いられる照合用渡航履歴情報を作成する
ことを実行させるプログラム。
【国際調査報告】
2019225551.tif 000010
2019225551.tif 000011